(57)【要約】【課題】昇降棚の動きがスムーズとなる昇降収納装置を提供する。【解決手段】少なくとも一方向に開口する収納筐体１と、収納筐体１に収納された状態と収納筐体１から上方に引き出された状態との間で昇降自在な昇降棚２と、を備える。収納筐体１と昇降棚２とにそれぞれ回転自在に連結される第１の腕部３および第２の腕部４を備える。第１の腕部３に、昇降棚２を上昇させる方向に付勢するための第１の付勢部材７が設けられ、第２の腕部４に、昇降棚２を上昇させる方向に付勢するための第２の付勢部材８が設けられる。【選択図】図１
2015066180.tif 000002
【特許請求の範囲】
【請求項１】
少なくとも一方向に開口する収納筐体と、
前記収納筐体に収納された状態と前記収納筐体から上方に引き出された状態との間で昇降自在な昇降棚と、
前記収納筐体と前記昇降棚とにそれぞれ回転自在に連結される第１の腕部および第２の腕部と、を備える昇降収納装置であって、
前記第１の腕部に、前記昇降棚を上昇させる方向に付勢するための第１の付勢部材が設けられ、
前記第２の腕部に、前記昇降棚を上昇させる方向に付勢するための第２の付勢部材が設けられることを特徴とする昇降収納装置。
【発明の詳細な説明】
【技術分野】
【０００１】
本発明は、昇降収納装置に関するものである。
【背景技術】
【０００２】
従来、収納筐体と、収納筐体に収納された状態と上方に引き出された状態との間で昇降自在な昇降棚と、収納筐体と昇降棚とにそれぞれ回転自在に連結される第１の腕部および第２の腕部と、を備える昇降収納装置が知られている（例えば特許文献１参照）。
【先行技術文献】
【特許文献】
【０００３】
【特許文献１】特開２００９−９５５４３号公報
【発明の概要】
【発明が解決しようとする課題】
【０００４】
上記昇降収納装置には、使用者が昇降棚を引き上げる際、昇降棚を引き上げる力を補助する力が働くように、昇降棚を上昇させる方向に付勢する付勢部材が設けられている。
【０００５】
しかしながら、この昇降収納装置には、第１の腕部と第２の腕部の一方にのみ付勢部材が設けられているため、昇降棚の動きがスムーズでない、という問題があった。
【０００６】
本発明は上記従来の問題点に鑑みて発明したものであって、その目的とするところは、昇降棚の動きがスムーズとなる昇降収納装置を提供することにある。
【課題を解決するための手段】
【０００７】
上記課題を解決するために、本発明は、少なくとも一方向に開口する収納筐体と、前記収納筐体に収納された状態と前記収納筐体から上方に引き出された状態との間で昇降自在な昇降棚と、前記収納筐体と前記昇降棚とにそれぞれ回転自在に連結される第１の腕部および第２の腕部と、を備える昇降収納装置であって、前記第１の腕部に、前記昇降棚を上昇させる方向に付勢するための第１の付勢部材が設けられ、前記第２の腕部に、前記昇降棚を上昇させる方向に付勢するための第２の付勢部材が設けられることを特徴とする。
【発明の効果】
【０００８】
本発明にあっては、第１の腕部、第２の腕部それぞれに、第１の付勢部材、第２の付勢部材が取り付けられている。このため、第１の腕部と第２の腕部の一方にのみ付勢部材が取り付けられている場合における、昇降棚の動きがスムーズでない、といったことが起こり難く、昇降棚の動きがスムーズとなる。
【図面の簡単な説明】
【０００９】
【図１】一実施形態における引出状態を示し、（ａ）は側断面図であり、（ｂ）は平面断面図である。
【図２】一実施形態における収納状態を示し、（ａ）は側断面図であり、（ｂ）は平面断面図である。
【発明を実施するための形態】
【００１０】
本発明の昇降収納装置は、少なくとも一方向に開口する収納筐体１と、収納筐体１に収納された状態と収納筐体１から上方に引き出された状態との間で昇降自在な昇降棚２と、を備える。収納筐体１と昇降棚２とにそれぞれ回転自在に連結される第１の腕部３および第２の腕部４を備える。第１の腕部３に、昇降棚２を上昇させる方向に付勢するための第１の付勢部材７が設けられ、第２の腕部４に、昇降棚２を上昇させる方向に付勢するための第２の付勢部材８が設けられることを特徴とするものである。
【００１１】
本発明の一実施形態について、図１および図２に基いて説明する。図１に、昇降棚が上昇して収納筐体１より引き出された引出状態を示し、図２に、昇降棚２が下降して収納筐体１に収納された収納状態を示す。
【００１２】
昇降収納装置は、平面視における一方向に開口する収納筐体１と、収納筐体１に対して昇降自在に設けられる昇降棚２と、収納筐体１と昇降棚２とを連結する第１の腕部３および第２の腕部４と、を備えるものである。なお、以下の説明では、便宜上、前記一方向を前方、その反対方向を後方とし、左右方向は前方から後方を見た時の左右方向をいうものとする。
【００１３】
収納筐体１は、底壁部１１と、左右の側壁部１２と、背壁部１３と、天壁部１４と、を備えている。なお収納筐体１は、底壁部１１と左右の側壁部１２と背壁部１３と天壁部１４の一部を備えていなくてもよい。
【００１４】
収納筐体１には、第１の腕部３および第２の腕部４の端部が取り付けられるための取付部５が設けられる。本実施形態では、左右の側壁部１２の間に取付部５が架設されている。
【００１５】
昇降棚２は、底壁部２１と、前壁部２２と、背壁部２３とを備えている。なお昇降棚２は、さらに側壁部や天壁部を備えてもよいし、側壁部を備えない場合に棒状等をした落下防止部を備えてもよい。
【００１６】
昇降棚２には、第１の腕部３の端部が取り付けられるための第１の取付部６１、および、第２の腕部４の端部が取り付けられるための第２の取付部６２が設けられる。本実施形態では、背壁部２３の左右の両端部においてそれぞれ、第１の取付部６１が背壁部２３よりも前方に突出するように設けられ、第２の取付部６２が背壁部２３よりも後方に突出するように設けられる。特に、第１の取付部６１は、背壁部２３とは別体に形成され、第１の取付部６１を左右方向に貫通し前後を長手方向とする取付孔６３が形成され、背壁部２３に対する取付位置の前後の位置調整が可能となっている。
【００１７】
第１の腕部３は、長手方向の第１の端部３１が、昇降棚２の第１の取付部６１に回転自在となるように取り付けられる。また、第１の腕部３の第２の端部側の部分（第２の端部よりも若干（例えば１〜２ｃｍ）第１の端部３１寄りの回転中心となる部分（中心部３２という））が、収納筐体１に設けられた取付部５に回転自在となるように取り付けられる。
【００１８】
第１の腕部３は、収納筐体１の左右の側壁部１２にそれぞれ沿うように同じものが左右に二つ設けられる。そして、左右の二つの第１の腕部３は、連結部（不図示）により連結され、動きが同期するようになっている。
【００１９】
なお、第１の腕部３の形状は限定されないものであり、左右の二つの第１の腕部３の形状が異なってもよい。
【００２０】
第２の腕部４は、長手方向の第１の端部４１が、昇降棚２の第２の取付部６２に回転自在となるように取り付けられる。また、第２の腕部４の第２の端部側の部分（第２の端部よりも若干（例えば１〜２ｃｍ）第１の端部４１寄りの回転中心となる部分（中心部４２という））が、収納筐体１に設けられた取付部５に回転自在となるように取り付けられる。
【００２１】
第２の腕部４は、収納筐体１の左右の側壁部１２にそれぞれ沿うように同じものが左右に二つ設けられる。そして、左右の二つの第２の腕部４は、連結部（不図示）により連結され、動きが同期するようになっている。
【００２２】
なお、第２の腕部４の形状は限定されないものであり、左右の二つの第２の腕部４の形状が異なってもよい。
【００２３】
第１の腕部３の第１の端部３１（第１の取付部６１に対する回転中心）から中心部３２までの長さと、第２の腕部４の第１の端部４１（第２の取付部６２に対する回転中心）から中心部４２までの長さは、同じであることが好ましい。さらに、第１の腕部３の第１の端部３１から第２の腕部４の第１の端部４１までの長さおよび方向と、第１の腕部３の中心部３２から第２の腕部４の中心部４２までの長さおよび方向が、それぞれ同じであることが好ましい。このようにすることで、第１の腕部３の第１の端部３１と中心部３２、第２の腕部４の第１の端部４１と中心部４２を頂点する四辺形が平行四辺形に保たれ、昇降棚２の姿勢が一定に維持される。
【００２４】
第１の腕部３、第２の腕部４、昇降棚２の一部または全部は、収納筐体１に設けられるストッパー（不図示）により回転が規制される。これにより、昇降棚２は、収納状態（図２参照）における位置と、収納状態から斜め上方に引き出された状態（図１参照）における位置と、の間にのみ、位置することができる。
【００２５】
第１の腕部３には、それぞれ、昇降棚２を上昇させる方向に付勢するための第１の付勢部材７が設けられる。第１の付勢部材７は、本実施形態ではコイルバネからなるものであるが、板バネや渦巻きバネ等でもよく、コイルバネに限定されない。
【００２６】
第１の付勢部材７は、長手方向の第１の端部７１が、第１の腕部３の第２の端部に回転自在となるように取り付けられる。また、長手方向の第２の端部７２が、収納筐体１に設けられた取付部５に回転自在となるように取り付けられる。
【００２７】
第２の腕部４には、それぞれ、昇降棚２を上昇させる方向に付勢するための第２の付勢部材８が設けられる。第２の付勢部材８は、本実施形態ではコイルバネからなるものであるが、板バネや渦巻きバネ等でもよく、コイルバネに限定されない。
【００２８】
第２の付勢部材８は、長手方向の第１の端部８１が、第２の腕部４の第２の端部に回転自在となるように取り付けられる。また、長手方向の第２の端部８２が、収納筐体１に設けられた取付部５に回転自在となるように取り付けられる。
【００２９】
第１の付勢部材７および第２の付勢部材８は、常に、自然長よりも長くなるように伸びて、引っ張り力が働く状態となっている。そして、第１の腕部３および第２の腕部４には、第１の腕部３および第２の腕部４の角度（例えば水平方向に対する角度）により、異なる方向の回転力が働くものである。
【００３０】
ここで、収納筐体１に対する第１の付勢部材７の回転中心となる第２の端部７２と、第１の腕部３の中心部３２とを結ぶ仮想線７０を規定する。第１の腕部３においては、第１の付勢部材７の第１の端部７１が取り付けられる第２の端部が、仮想線７０のいずれ側に位置するかにより、第１の付勢部材７によりかけられる回転モーメント（回転力）の方向が異なる。
【００３１】
また、収納筐体１に対する第２の付勢部材８の回転中心となる第２の端部８２と、第２の腕部４の中心部４２とを結ぶ仮想線８０を規定する。第２の腕部４においても同様に、第２の付勢部材８の第１の端部８１が取り付けられる第２の端部が、仮想線８０のいずれ側に位置するかにより、第２の付勢部材８によりかけられる回転モーメントの方向が異なる。
【００３２】
本実施形態では、図２に示す収納状態から昇降棚２が若干（例えば第１の腕部３および第２の腕部４の角度にして数度）上昇したところで、第１の付勢部材７の第２の端部、第２の付勢部材８の第２の端部が、それぞれ仮想線７０、仮想線８０上に位置する。従って、収納状態から昇降棚２が若干上昇したところまでは、昇降棚２に下降する力が働き、それを越えて昇降棚２が上昇すると、昇降棚２に上昇する力が働く。このような第１の付勢部材７および第２の付勢部材８により、昇降棚２には、収納状態においてはこれを維持する力が働き、昇降棚２を上昇させる場合には、昇降棚２を引き上げる力を補助する力が働く。なお、場合によっては、第１の付勢部材７および第２の付勢部材８による力のみで、昇降棚２が上昇する。
【００３３】
これにより、使用者が昇降棚２を引き上げる際に要する力が不要または小さくて済む。
【００３４】
また、第１の腕部３、第２の腕部４それぞれに、第１の付勢部材７、第２の付勢部材８が取り付けられている。このため、第１の腕部３と第２の腕部４の一方にのみ付勢部材が取り付けられている場合における、昇降棚２の動きがスムーズでない、といった問題が起こり難いものである。
【００３５】
使用者は、昇降棚２を収納する場合には、第１の付勢部材７および第２の付勢部材８に抗って昇降棚２を下降させ、収納筐体１内に昇降棚２を収納するものである。
【００３６】
また、本実施形態では、昇降棚２の上昇速度が速くなるのを抑えるための減衰部材９が設けられる。減衰部材９は、本実施形態ではオイルダンパーからなるものであるが、特に限定されない。
【００３７】
減衰部材９は、長手方向の第１の端部９１が、収納筐体１に設けられた取付部５に回転自在となるように取り付けられる。また、長手方向の第２の端部９２が、第２の腕部４の中間部に回転自在となるように取り付けられる。
【００３８】
減衰部材９により、第１の付勢部材７、第２の付勢部材８により、あるいは、使用者が大きな力で昇降棚２を引き上げてしまって、昇降棚２の上昇速度が速くなるのが抑えられる。これにより、昇降棚２（あるいは第１の腕部３、第２の腕部４）がストッパーに衝突するのが抑えられる。
【符号の説明】
【００３９】
１    収納筐体
１１  底壁部
１２  側壁部
１３  背壁部
１４  天壁部
２    昇降棚
２１  底壁部
２２  前壁部
２３  背壁部
３    第１の腕部
３１  第１の端部
３２  中心部
４    第２の腕部
４１  第１の端部
４２  中心部
５    取付部
６１  第１の取付部
６２  第２の取付部
７    第１の付勢部材
７０  仮想線
７１  第１の端部
７２  第２の端部
８    第２の付勢部材
８０  中心線
８１  第１の端部
８２  第２の端部
９    減衰部材
９１  第１の端部
９２  第２の端部
【図１】
2015066180.tif 000003
【図２】
2015066180.tif 000004